(57)【特許請求の範囲】
【請求項１】
複数の柱および複数の梁を含む立体構造のフレームを有し、前記複数の梁を含んで構成される水平面部を備えた建物ユニットであって、
前記水平面部の少なくとも一部には、シャッタを収納するシャッタ収納空間が形成されており、
前記フレームの側面から突出形成されるとともに、前記水平面部の一部を構成する張出面部を備え、前記シャッタ収納空間は、この張出面部に形成されており、
前記シャッタ収納空間を含む張出面部の屋外側には、片持ち支持の構造物を支持する受け部が設けられており、且つ、
前記シャッタ収納空間および受け部の間には、該受け部の倒れを防止する補強部が形成されている
ことを特徴とする建物ユニット。
【請求項２】
請求項１に記載の建物ユニットにおいて、内部空間が外壁材を含む隔壁によって、一方が室内空間、他方が屋外空間として区画され、前記シャッタ収納空間は、この隔壁に沿って形成されていることを特徴とする建物ユニット。
【請求項３】
請求項１または請求項２に記載の建物ユニットを有することを特徴とするユニット式建物。
【発明の詳細な説明】
【０００１】
【発明の属する技術分野】
本発明は、複数の柱および複数の梁を含む立体構造のフレームを有し、前記複数の梁を含んで構成される水平面部を備えた建物ユニット、およびこの建物ユニットを備えたユニット式建物に関する。
【０００２】
【背景技術】
従来より、工場で製造した直方体状の建物ユニットを、建築現場で複数組み合わせて建築されるユニット式建物が利用されている。
ここで、建物ユニットは、四隅に立設される柱と、これらの柱の上端間、下端間を連結する梁とを備えた直方体状のフレームを有し、工場でこのフレームに天井面材、床面材、外壁材および間仕切壁を予め取り付けておき、これを建築現場に輸送して建物が構成される。
このようなユニット式建物によれば、工場で建物ユニットを製造する際に、従来建築現場で行っていた作業がほとんど工場で行われることとなり、建築現場での作業が著しく軽減され、高品質の建物を短期間で建築できるという効果がある。
【０００３】
このようなユニット式建物において、外壁面に形成される開口部は、風雨を防ぐため、また、防犯の観点から、該開口部を覆う雨戸やシャッタ等が設けられるが、近年、開口部の側部に戸袋等を設ける必要がなく、開口部の幅方向寸法を十分に確保できるという観点から、開口部を覆う部材としてシャッタが採用されることが多くなってきた。
ここで開口部を覆うシャッタとしては、例えば、特開平１０−１３１６４４号公報に示されるように、開口部上部外壁面上に巻き取られたシャッタを収納するシャッタボックスを設け、開口部の幅方向両端に沿ってシャッタを案内するレールが設けられたものが知られている。
【０００４】
【発明が解決しようとする課題】
しかしながら、このようなシャッタは、開口部上部外壁面上にシャッタを巻き取り収納するためのシャッタボックスを設けなければならないので、開口部の高さ方向寸法を十分に確保することができない、という問題がある。特に、上階にバルコニ等が設置された部分の開口部については、バルコニにより直接雨水が開口部内に侵入する可能性も少ないので、シャッタボックスを庇として兼用する必要もなく、このような状況において、開口部の高さ寸法をとって十分な採光を確保できる構造が要望されている。
また、従来のユニット工法では、外壁面上にシャッタが取り付けられていたため、トラック等による輸送時、紐掛け等の邪魔となり、シャッタの取り付けを建築現場で行わなければならず、建築現場作業の繁雑化を招くという問題がある。
【０００５】
本発明の目的は、複数の柱および複数の梁を含む立体構造のフレームを有し、複数の梁の含んで構成される水平面部を備えた建物ユニット、およびこの建物ユニットを含んで構成されるユニット式建物において、開口部の採光を十分に確保することができ、かつ建築現場における作業を軽減することのできる建物ユニット、およびユニット式建物を提供することにある。
【０００６】
【課題を解決するための手段】
前記目的を達成するために、本発明の建物ユニットは、図面の符号を参照して説明すれば、複数の柱３３２、３５２、８１２および複数の梁３３３、３５３、８１３を含む立体構造のフレーム３３１、３５１、８１１を有し、前記複数の梁を含んで構成される水平面部３４、３６、８３を備えた建物ユニット３３、３５、８１であって、前記水平面部の少なくとも一部には、シャッタを収納するシャッタ収納空間３４Ａ、３６Ａ、８３Ａが形成されている。また、フレーム３３１、３５１の側面から突出形成されるとともに、水平面部３４、３６の一部を構成する張出面部３３Ｄ、３５Ｃを備え、シャッタ収納空間は、この張出面部に形成されている。さらに、上述したシャッタ収納空間を含む張出面部の屋外側には、片持ち支持の構造物７３を支持する受け部３４６、３６０が設けられている。また、シャッタ収納空間および受け部の間には、該受け部の倒れを防止する補強部３４５、３５９が形成されている。
【０００７】
ここで、複数の柱および複数の梁を含む立体構造のフレームとしては、例えば、四隅に立設される柱と、この柱の上端間、下端間を連結する梁とを備えたフレームを採用することができるが、要するに、梁等の水平構造部材を含んで水平面部を構成できるフレームを有していれば、種々の形状の建物ユニットに本発明を適用することができる。
また、水平面部は、建物ユニットの上面側に形成されるものであっても、下面側に形成されるものであってもよく、建物ユニットの上面側にシャッタ収納空間が形成されている場合、該建物ユニットに形成された開口部を覆うシャッタを収納することができる。一方、建物ユニットの下面側にシャッタ収納空間が形成されている場合、該建物ユニットの下階側に配置された開口部を覆うシャッタを収納することができる。
【０００８】
このような本発明によれば、建物ユニットを構成する水平面部内のシャッタ収納空間にシャッタが収納されるので、開口部５２上部外壁面上に別途シャッタ収納用のシャッタボックスを設ける必要がなくなる。これにより、その分開口部の高さ寸法を従来よりも多く採ることができるので、開口部の十分な採光を確保することができる。
【０００９】
また、建物ユニットの構造部材である梁を含んだ水平面部内にシャッタが収納されるため、輸送時、建物ユニットに紐掛け等をしても、シャッタが邪魔になることはない。従って、工場で建物ユニットの組立に際して、同時にシャッタの取付を済ませることができ、建築現場における作業の大幅な軽減が図られる。
さらに、建物ユニットの上面側の水平面部にシャッタが収納されていれば、その下の同じ建物ユニット内に形成される開口部の両端に設けられるシャッタ案内用のレールも工場で同時に取り付けることができるので、建築現場における作業を一層軽減できる。
【００１０】
以上において、上述した建物ユニットとしては、内部空間が外壁材８２を含む隔壁によって、一方が室内空間、他方が屋外空間として区画された、いわゆるインナーバルコニユニット８１が考えられ、この場合、シャッタ収納空間８３Ａは、この隔壁の屋外側で、かつ該隔壁に沿って形成されているのが好ましい。
すなわち、インナーバルコニユニットのように、ユニット内部の空間が室内空間および屋外空間として区画されている場合、室内空間から屋外空間に出るための開口部が形成されるため、両空間を区画する隔壁に沿ってシャッタ収納空間が形成されていれば、この開口部を覆うシャッタを収納する収納空間として好適である。
【００１１】
また、建物ユニットとしては、フレーム３３１、３５１の側面から突出形成されるとともに、水平面部３４、３６の一部を構成する張出面部３３Ｄ、３５Ｃを備えており、この場合、シャッタ収納空間は、この張出面部に形成されていることが必要である。このような張出面部は、バルコニ床面６等の屋外床面として使用されるため、シャッタ収納空間が張出面部内に形成されていれば、前記と同様に、屋外空間に出るための開口部を覆うシャッタを収納する収納空間として好適である。
【００１２】
さらに、上述したシャッタ収納空間を含む張出面部の屋外側には、片持ち支持の構造物７３を支持する受け部３４６、３６０が設けられていることが必要である。このように、張出面部の外側に受け部が設けられていることにより、片持ち支持の屋外床面を屋外側に拡張させることができるため、バルコニ床面等の屋外床面を一層広く形成することができる。
【００１３】
そして、上述した受け部が設けられている場合、シャッタ収納空間および受け部の間には、該受け部の倒れを防止する補強部３４５、３５９が形成されていることが必要である。ここで、補強部は、具体的には、受け部が設けられる張出面部の屋外側端部に配置される梁３４２、３５６と、水平面部内のシャッタ収納空間を区画するために、張出面部内部にこの梁と平行に架設される中間架設材３４４、３５８との間に、複数の鋼製小梁３４５、３５９を架設することにより構成することができる。このように、張出面部に補強部が形成されていることにより、片持ち支持の構造物が接合された受け部の倒れを防止することができるため、該構造物を張出面部で十分な支持強度により保持することができる。
【００１４】
また、本発明のユニット式建物１は、複数の柱および複数の梁を含む立体構造のフレームを有し、前記複数の梁を含んで構成される水平面部を備え、この水平面部の少なくとも一部には、シャッタを収納するシャッタ収納空間が形成された、上述した本発明の建物ユニット３３、３５を有することを特徴とする。このようなユニット式建物によれば、上述したように、工場で予めシャッタ収納空間にシャッタを取り付けておくことにより、建物ユニットの設置とともに、シャッタ取り付けを済ませられるため、建築現場における作業を大幅に軽減できる。
【００１５】
【発明の実施の形態】
以下、本発明の実施の一形態を図面に基づいて説明する。
図１には、本発明の実施形態に係るユニット式建物１が示され、このユニット式建物１は、コンクリート製の基礎２上に設置される建物本体３と、この建物本体３の上部に形成される屋根４とを備えている。
【００１６】
前記屋根４は、屋上を物干し等の空間として利用できる陸屋根として構成され、後述する建物ユニット３１、３３、３５の平面形状を有する平板状の屋根パネル４１を複数配列して構成される。屋根パネル４１は、図示を略したが、パネル形状に応じて鋼材を組み合わせたフレームと、このフレーム上に取り付けられるＡＬＣ等の面材とを備える。
【００１７】
この屋根４の中央部分には、傾斜面上に複数の太陽電池パネル４２が配列されている。この太陽電池パネル４２は、図示しない立体構造の鋼製フレーム上に、野地板、防水シート、さらに傾斜面に沿った複数本のレールが取り付けられ、複数本のレールに跨るように取り付けられている。
また、この太陽電池パネル４２が取り付けられた傾斜面の下部空間は、収納空間として利用することができるとともに、屋根４の陸屋根部分に昇るためのペントハウスとしての役割も有し、扉４３から出入り可能な陸屋根部分の外周端縁には、手摺４４が設けられている。
【００１８】
前記建物本体３は、一部の外壁面３Ｂが他の外壁面３Ａよりも室内側に後退した凹部５を有し、平面視略凹形状の居室空間を有するものである。
この凹部５の１階部分には、基礎２と連続するコンクリート製の犬走２１が形成され、２階部分には、屋外床面としてのバルコニ床面６が形成されている。
犬走２１上には、所定のピッチでポーチ柱５１が設けられ、各ポーチ柱５１は、２階部分のバルコニ床面６の先端部分を支承している。
【００１９】
バルコニ床面６の屋外側先端部分６Ａは、他の外壁面３Ａよりも若干外側に突出し、バルコニ床面６の外周端縁に沿って手摺６２が設けられている。
凹部５の上部は、外壁面３Ａに沿って端縁が形成された屋根４によって覆われていて、バルコニ床面６上にも、１階部分のポーチ柱５１と同様のピッチでポーチ柱６１が設けられ、各ポーチ柱６１は、屋根４の先端部分を支承している。
【００２０】
また、凹部５の外壁面３Ｂには、採光のために、１階部分に開口部５２、２階部分に開口部６３が形成され、これらの開口部５２、６３は、凹部５の幅方向全体に形成されているとともに、バルコニ床面６の下面側近傍、屋根４の下面側近傍まで達する高さ寸法を有している。従って、この凹部５の外壁面３Ｂは、大部分が開口部５２、６３から構成された採光性に優れた壁面として構成される。
【００２１】
このような形状の建物本体３は、直方体状の通常の建物ユニット３１と、凹部５を構成する平面視略Ｌ字形状のＬ形ユニット３３、および建物ユニット３１とは、短辺方向の寸法が異なる異形ユニット３５とを立体的に組み合わせることにより構成される。
建物ユニット３１は、図２に示すように、直方体状のフレーム３１１を有し、このフレーム３１１は、四隅に立設される柱３１２と、各柱３１２の上端間を連結する上梁３１３と、各柱３１２の下端間を連結する下梁３１４とを備えている。尚、本実施形態では、建物ユニット３１を構成する柱３１２としては角形鋼管が用いられ、上梁３１３、下梁３１４としては、開口側を室内側に向けたコ字形断面の溝形鋼が用いられている。
【００２２】
そして、建物ユニット３１の長辺方向に延びる一対の上梁３１３間には、複数本の天井小梁３１５が架設され、天井小梁３１５の下面には、図示しない天井材が取り付けられる。また、建物ユニット３１の長辺方向に延びる一対の下梁３１４間には、複数の床根太３１６が架設され、床根太３１６の上面には、図示しない床面材が敷設される。さらに、この建物ユニット３１には、ユニット式建物１の間取り等に応じて、間仕切壁や外壁材が取り付けられたり、キッチン等の設備機器が取り付けられる。
【００２３】
Ｌ形ユニット３３は、平面長方形の１つの角隅部を矩形状に切り欠いた平面視Ｌ字形状の形を基本構成とし、図３に示すように、建物本体３の構造を負担する基部３３Ａと、この基部３３Ａの側面に突設される拡張部３３Ｂと、Ｌ形ユニットの床部分および天井部分に水平方向に突設される床張出部３３Ｃおよび天井張出部３３Ｄとを備えている。
【００２４】
基部３３Ａは、直方体状のフレーム３３１を有し、四隅に立設される柱３３２と、各柱３３２の上端間、下端間を連結する梁３３３とを備え、拡張部３３Ｂが接続される基部３３Ａの中間部分には、上下の梁３３３間に跨るように、すなわち梁３３３勝ちで中間柱３３４が設けられている。
また、中間柱３３４が設けられる部分における一対の長辺方向の梁３３３間には、中間梁３３４Ａが架設されている。そして、この基部３３Ａが建物本体３の構造を負担する部分であることから、柱３３２、３３４、梁３３３、３３４Ａの材料としては、前記建物ユニット３１の柱３１２、梁３１３、３１４と同様の断面形状の鋼材が採用されている。
尚、基部３３Ａの上面は、該上面に配置される４本の梁３３３を含んだ水平面部３４を構成している。
【００２５】
拡張部３３Ｂは、基部３３Ａの短辺側面に沿って、長辺側面から突出するように設けられる箱状のフレーム３３５を有する。
このフレーム３３５は、基部３３Ａの短辺方向の梁３３３に沿って延びる２本の水平架設材３３６と、中間柱３３４の取り付け部分の長辺方向の梁３３３の側面から垂直に突出する２本の水平架設材３３７と、水平架設材３３６、３３７の先端部分を連結する２本の水平架設材３３８と、２本の水平架設材３３６、または２本の水平架設材３３７を上下に連結する垂直架設材３３９とを備えている。
【００２６】
ここで、拡張部３３Ｂの内部空間は、基部３３Ａ内に形成される居室空間と連続する空間として利用されることから、水平架設材３３６、３３７、３３８の材料としては、基部３３Ａの梁３３３と同様の高さ寸法の鋼材が採用される。
一方、拡張部３３Ｂが建物本体３の基本的構造を負担するものではないことから、垂直架設材３３９の材料としては、基部３３Ａの柱３３２よりも断面形状の小さな鋼材が採用され、この鋼材の断面形状は、上下に連なる拡張部３３Ｂの荷重に応じて設定される。
【００２７】
床張出部３３Ｃおよび天井張出部３３Ｄは、バルコニ床面を構成する水平支持部材として構成され、Ｌ形ユニット３３が上下に組み合わされることにより、バルコニ床面６が形成される。尚、図３から判るように、床張出部３３Ｃよりも天井張出部３３Ｄの方が強固なフレームとして構成され、バルコニ床面６の構造上の支持は、主として天井張出部３３Ｄが負担する。
【００２８】
床張出部３３Ｃは、拡張部３３Ｂの側面から突出し、該拡張部３３Ｂの水平架設材３３８の延出方向に沿って延びる水平枠部材３４０と、基部３３Ａの短辺方向の梁３３３に沿って延び、先端部分で水平枠部材３４０と接合される水平枠部材３４１とを備えた矩形枠状に構成されている。尚、水平枠部材３４０、３４１は、上述したようにバルコニ床面６の構造を主として負担するものではないので、基部３３Ａの梁３３３よりも断面形状の小さいものが採用されている。
この床張出部３３Ｃは、Ｌ形ユニット３３が１階部分で使用される場合、犬走２１のコンクリート打設の際に、コンクリート内に埋設される。一方、Ｌ形ユニット３３が２階部分で使用される場合、水平枠部材３４０、３４１で囲まれた部分に防水構造が形成され、バルコニ床面６の防水面とされる。
【００２９】
天井張出部３３Ｄは、基部３３Ａの凹部５に臨む側面から突出形成され、該基部３３Ａ上面の水平面部３４の一部として構成される張出面部であり、床張出部３３Ｃの平面形状と略同様の平面形状に構成される。
この天井張出部３３Ｄは、床張出部３３Ｃと同様に、外周枠を構成する水平枠部材３４２、３４３を備え、その内側には、水平枠部材３４３と、拡張部３３Ｂの水平架設材３３７との間に中間架設材３４４が設けられている。
そして、この中間架設材３４４および水平枠部材３４２の間には、断面コ字形状の補強部としての鋼製小梁３４５が複数本架設されている。一方、中間架設材３４４および基部３３Ａの間の空間は、後述するシャッタ収納空間３４Ａとされる。
【００３０】
また、水平枠部材３４２の外側側面には、バルコニ床面６の屋外側先端部分６Ａを構成する片持ち支持構造のバルコニ拡張部７３（後述）を支持する受け部としてのブラケット３４６が複数設けられている。
このような天井張出部３３Ｄは、バルコニ床面６を構造的に支持しなければならないので、水平枠部材３４２、３４３の材料としては、基部３３Ａの梁３３３と同様の断面形状の鋼材が用いられる。
鋼製小梁３４５の断面形状、およびその本数は、後述する片持ち支持のバルコニ拡張部７３の重量に基づいて適宜設定される。
【００３１】
上述した床張出部３３Ｃの水平枠部材３４０と、天井張出部３３Ｄの水平枠部材３４３との間には、上下に延びる垂直部材３４７が設けられ、この垂直部材３４７は、隣接する異形ユニット３５に設けられる垂直部材３６１（後述）と組み合わされて凹部５の先端部分に立設されるポーチ柱５１を構成する。
尚、バルコニ床面６や屋根４の被覆部分の構造負担を、主としてＬ形ユニット３３の天井張出部３３Ｄで行うことから、この垂直部材３４７は、バルコニ床面６等を支承する補足的な部材であり、従って、その断面形状も基部３３Ａを構成する柱３１２の断面形状よりも小さなものとなっている。
【００３２】
異形ユニット３５は、上述したＬ形ユニット３３の基部３３Ａの短辺方向寸法と同じ寸法の短辺方向寸法を有する基部３５Ａと、この基部３５Ａの凹部５に臨む側面に突設される床張出部３５Ｂ、および天井張出部３５Ｃとを備えている。
基部３５Ａは、柱３５２、梁３５３を組み合わせた直方体状のフレーム３５１を有し、柱３５２、梁３５３の材料としては、Ｌ形ユニット３３の基部３３Ａと同様の柱、梁部材が採用され、Ｌ形ユニット３３の場合と同様に、基部３５Ａの上面が、４本の梁３５３を含む水平面部３６を構成している。
【００３３】
床張出部３５Ｂ、および天井張出部３５Ｃも、Ｌ形ユニット３３の床張出部３３Ｃ、天井張出部３５Ｄと略同様の構造および材料で構成され、床張出部３５Ｂは、水平枠部材３５４、３５５を備える。
天井張出部３５Ｃは、Ｌ形ユニット３３と同様に、基部３５Ａのフレーム３５１の凹部５側側面から突出形成され、該基部３５Ａの水平面部３６の一部として構成される張出面部である。
【００３４】
この天井張出部３５Ｃは、Ｌ形ユニット３３と同様に、水平枠部材３５６、３５７、中間架設材３５８、鋼製小梁３５９、ブラケット３６０を備え、さらに床張出部３５Ｂおよび天井張出部３５Ｃの間には、幅方向端部に２本の垂直部材３６１が架設され、この垂直部材３６１も、Ｌ形ユニット３３の垂直部材３４７と同じ断面形状とされている。
【００３５】
上述したＬ形ユニット３３を上下に組み合わせると、図５に示すように、下階側のＬ形ユニット３３の天井張出部３３Ｄと上階側のＬ形ユニット３３の床張出部３３Ｃが組み合わされて、バルコニ床面６が形成され、床張出部３３Ｃで囲まれた空間は、バルコニ床面６の防水構造が形成され、天井張出部３３Ｄに形成されたシャッタ収納空間３４Ａの内部には、シャッタ７１が収納される。
【００３６】
シャッタ７１は、シャッタボックス７１１と、シャッタボックス７１１内部に巻回されて収納される複数のスラットを巻回方向につなぎ合わせたシャッタ本体７１２と、下階側の開口部５２を構成するアルミサッシ５２１の幅方向端部に設けられ、シャッタ本体７１２のスラットを案内するレール７１３とを備えて構成される。
また、シャッタボックス７１１は、シャッタ本体７１２とともに、Ｌ形ユニット３３の基部３３Ａを構成する梁３３３の側面にボルト、ナット等の固定部材で固定され、シャッタボックス７１１の下面は、天井張出部３３Ｄの下面側に取り付けられる軒天材７２により覆われ、シャッタ本体７１２の引出用の端部のみが露出するような構成とされる。
【００３７】
さらに、天井張出部３３Ｄの屋外側先端部分に設けられるブラケット３４６には、片持ち支持構造のバルコニ拡張部７３が接続されている。
バルコニ拡張部７３は、断面コ字形の鋼材を組み合わせた矩形状のフレーム７３１と、このフレーム７３１の上面に設けられ、床張出部３３Ｃ内部に形成された防水構造と連続する勾配付き床板７３２と、フレーム７３１の屋外側端面に設けられる外壁材７３３と、室内側端面に設けられる接合プレート７３４とを備えて構成される。
そして、バルコニ拡張部７３の床板７３２の屋外側端縁には、手摺６２が立設されている。また、バルコニ拡張部７３の室内側端部上面には、揚重機による揚重に際して、ブラケット７４およびＩボルト７５を取り付けるための横架材７３５が設けられている。
【００３８】
接合プレート７３４は、天井張出部３３Ｄのブラケット３４６と接合される部分であり、複数の孔が形成された厚板から構成されている。ブラケット３４６は、図３および図５では図示を略したが、箱状金物の底面部分外側略中央に突設されるピンと、このピンの回りに形成される複数の孔とを備え、各孔の内側部分には、裏ナットが溶接されている。
【００３９】
そして、ブラケット３４６のピンが接合プレート７３４の中央部分の孔に挿入され、他の部分は、接合プレート７３４の裏面側からボルトが挿入され、ブラケット３４６の裏ナットとボルトを螺合させることにより、天井張出部３３Ｄの屋外側端縁にバルコニ拡張部７３が接合固定される。
尚、図示を略したが、異形ユニット３５の上下の接続構造、シャッタ７１の収納構造、およびバルコニ拡張部７３の接続構造も、図５に示されるＬ形ユニット３３の接続構造と同様である。
【００４０】
次に、このような建物ユニット３３、３５を備えたユニット式建物１の建築手順について説明する。
(1)  工場において、通常の建物ユニット３１と同様に、Ｌ形ユニット３３および異形ユニット３５の組立を行う。具体的には、まず基部３３Ａの柱３３２および梁３３３を溶接接合してフレーム３３１の外形を構成した後、中間柱３３４を上下の梁３３３間に架設して溶接接合し、次に、基部３３Ａの側面に拡張部３３Ｂを溶接等により接合し、最後に床張出部３３Ｃおよび天井張出部３３Ｄを取り付ける。
【００４１】
(2)  Ｌ形ユニット３３の骨組みが完成したら、アルミサッシ５２１を取り付けるとともに、シャッタ収納空間３４Ａ内にシャッタ７１を取り付け、さらにアルミサッシ５２１の両端にレール７１３を取り付け、外壁材、内壁材等を取り付けてＬ形ユニットを完成させる。尚、異形ユニット３５も略同様の手順で組み立てられる。
【００４２】
(3)  完成した建物ユニット３１、Ｌ形ユニット３３、異形ユニット３５をトラック等の輸送手段で輸送し、建築現場に搬入したら、揚重機等を用いて、１階部分の建物ユニット３１、３３、３５を基礎２上の所定位置に配置する。隣接する建物ユニット３１、３３、３５間の接続は、各ユニット３１、３３、３５の角隅部分の柱３１２、３３２、３５２が密集する部分にシアプレート（図示略）を跨って配置して行う。
【００４３】
(4)  同様に２階部分の建物ユニット３１、３３、３５を１階部分の建物ユニット３１、３３、３５上に載置し、シアプレートを介して上下階の建物ユニット３１、３３、３５の上下の柱３１２、３３２、３５２同士をボルト、ナットで締結する。
(5)  さらに、２階部分の建物ユニット３１、３３、３５上に屋根パネル４１を載置し、各屋根パネル４１と、２階部分の建物ユニット３１、３３、３５とをボルト、ナットにより締結する。
【００４４】
(6)  最後に、予め工場で製造されたバルコニ拡張部７３を揚重機を用いて、２階部分につり上げ、バルコニ拡張部７３の接合プレート７３４と、天井張出部３３Ｄ、３５Ｃのブラケット３４６、３６０とをボルトにより締結して、ユニット式建物１が完成する。
【００４５】
前述のような実施形態によれば、次のような効果がある。
Ｌ形ユニット３３、異形ユニット３５を構成する水平面部３４、３６のシャッタ収納空間３４Ａ、３６Ａにシャッタ７１が収納されているため、開口部５２上部外壁面上にシャッタボックスを別途設ける必要がない。これにより、開口部５２の高さ寸法を従来よりも大きくすることができるので、開口部５２の十分な採光を確保することができる。
【００４６】
また、水平面部３４、３６内にシャッタ７１が収納され、シャッタ７１が水平面部３４、３６を構成する梁３３３、３５３、水平枠部材３４２、３４３、３５６、３５７等に囲まれた状態となるため、輸送時、Ｌ形ユニット３３、異形ユニット３５に紐掛け等をしても、シャッタ７１が邪魔になることがない。従って、工場でＬ形ユニット３３、異形ユニット３５の組立に際して、同時にシャッタ７１の取付を済ませることができ、建築現場における作業を大幅に軽減することができる。
【００４７】
さらに、シャッタ収納空間３４、３６がＬ形ユニット３３、異形ユニット３５の上面側の天井張出部３３Ｄ、３５Ｃに形成され、このシャッタ収納空間３４、３６にシャッタ７１が収納されているため、同一ユニット３３、３５内に形成される開口部５２の両端に設けられるシャッタ案内用のレール７１３も工場で同時に取り付けることができ、建築現場における作業を一層軽減できる。
【００４８】
そして、Ｌ形ユニット３３および異形ユニット３５が張出面部となる天井張出部３３Ｄ、３５Ｃを備え、シャッタ収納空間３４Ａ、３６Ａがこの天井張出部３３Ｄ、３５Ｃに形成され、この張出面部が屋外空間に設けられるバルコニ床面６として使用されるため、室内空間から屋外空間へでる開口部５２を覆うシャッタ７１の収納空間として好適である。
【００４９】
また、張出面部となる天井張出部３３Ｄ、３５Ｃの屋外側に片持ち支持構造のバルコニ拡張部７３を支持する受け部となるブラケット３４６、３６０が設けられているため、バルコニ床面６を屋外側に拡張させることができ、バルコニ床面６を広く形成して、使い勝手のよい屋外空間を形成できる。
【００５０】
さらに、張出面部となる天井張出部３３Ｄ、３５Ｃに補強部となる複数の鋼製小梁３４５、３５９が設けられているため、ブラケット３４６、３６０に片持ち支持のバルコニ拡張部７３が接続されても、ブラケット３４６、３６０の倒れを防止することができ、バルコニ拡張部７３を天井張出部３３Ｄ、３５Ｃで十分な支持強度により保持することができる。
【００５１】
そして、このようなユニット式建物１によれば、Ｌ形ユニット３３、異形ユニット３５に予めシャッタ７１を取り付けておくことができるため、建築現場における作業を大幅に軽減することができる。
【００５２】
尚、本発明は、前記実施形態に限定されるものではなく、以下に示すような変形をも含むものである。
前記実施形態では、Ｌ形ユニット３３、３５の基部３３Ａ、３５Ａから屋外側に突出する張出面部となる天井張出部３３Ｄ、３５Ｃにシャッタ収納空間３４Ａ、３６Ａを設けていたが、本発明はこれに限られない。すなわち、図６に示すように、内部が外壁材８２によって区画され、外壁材８２の左側部分を室内空間とし、右側部分を屋外空間としたいわゆるインナーバルコニユニット８１に本発明を採用してもよい。
【００５３】
前記インナーバルコニユニット８１は、通常の建物ユニットと同様のフレーム８１１を有し、このフレーム８１１は、通常の建物ユニットに使用される柱部材、梁部材からなる柱８１２、上梁８１３、下梁８１４を備える。そして、互いに対向する一対の短辺上梁８１３、下梁８１４間には、ＡＬＣ等の外壁材８２を支持するための中間梁８１５が架設されている。
【００５４】
このようなインナーバルコニユニット８１において、４本の上梁８１３を含む水平面部８３を想定し、この一部にシャッタ収納空間８３Ａを形成してもよい。
尚、シャッタ収納空間８３Ａは、前記外壁材８２に沿って屋外側に形成され、外壁材８２支持用の中間梁８１５と、この中間梁８１５から屋外側にオフセットしたオフセット梁８１６とにより区画された空間として構成することができる。
このようなインナーバルコニユニット８１にシャッタ収納空間８３Ａを形成しても、前記実施形態で説明した効果と同様の効果を享受することができる。
【００５５】
また、前記実施形態では、屋内外間を連通する開口部５２を覆うシャッタ７１を収納する空間としてＬ形ユニット３３、異形ユニット３５にシャッタ収納空間３４Ａ、３６Ａを形成していたが、本発明はこれに限られない。すなわち、専ら室内に設けられる防火用シャッタの収納空間として本発明を採用してもよい。
さらに、前記実施形態では、Ｌ形ユニット３３および異形ユニット３５の天井張出部３３Ｄ、３５Ｃにシャッタ収納空間３４Ａ、３６Ａが形成されていたが、これに限られない。すなわち、建物ユニットの床面部分にシャッタ収納空間を形成し、収納されたシャッタを下階側の建物ユニットに形成された開口部を覆う部材として使用してもよい。
その他、本発明の実施の際の具体的な構造および形状等は、本発明の目的を達成できる範囲で他の構造等としてもよい。
【００５６】
【発明の効果】
請求項１記載の発明によれば、建物ユニットを構成する水平面部内のシャッタ収納空間にシャッタが収納されるので、開口部上部外壁面上に別途シャッタ収納用のシャッタボックスを設ける必要がなくなる。これにより、その分開口部の高さ寸法を従来よりも多く採ることができるので、開口部の十分な採光を確保することができる。また、建物ユニットの構造部材である梁を含んだ水平面部内にシャッタが収納されるため、輸送時、建物ユニットに紐掛け等をしても、シャッタが邪魔になることはない。従って、工場で建物ユニットの組立に際して、同時にシャッタの取付を済ませることができ、建築現場における作業の大幅な軽減が図られる。
【００５７】
請求項２記載の発明によれば、ユニット内部の空間が室内空間および屋外空間として区画されている場合、室内空間から屋外空間に出るための開口部が形成されるため、両空間を区画する隔壁に沿ってシャッタ収納空間が形成されていれば、この開口部を覆うシャッタを収納する収納空間として好適である。
【００５８】
請求項３記載の発明によれば、張出面部がバルコニ床面等の屋外床面として使用されるため、シャッタ収納空間が張出面部内に形成されていれば、前記と同様に、屋外空間に出るための開口部を覆うシャッタを収納する収納空間として好適である。
【００５９】
請求項４記載の発明によれば、張出面部の外側に受け部が設けられていることにより、片持ち支持の屋外床面を屋外側に拡張させることができるため、バルコニ床面等の屋外床面を一層広く形成することができる、という効果がある。
請求項５記載の発明によれば、張出面部に補強部が形成されていることにより、片持ち支持の構造物が接合された受け部の倒れを防止することができるため、該構造物を張出面部で十分な支持強度により保持することができる、という効果がある。
【００６０】
請求項６記載の発明によれば、上述したように、工場で予めシャッタ収納空間にシャッタを取り付けておくことにより、建物ユニットの設置とともに、シャッタ取り付けを済ませられるため、建築現場における作業を大幅に軽減できる、という効果がある。
【図面の簡単な説明】
【図１】本発明の実施形態に係るユニット式建物の概要斜視図である。
【図２】前記実施形態における建物ユニットの構造を表す概要斜視図である。
【図３】前記実施形態におけるＬ形ユニットの構造を表す概要斜視図である。
【図４】前記実施形態における異形ユニットの構造を表す概要斜視図である。
【図５】前記実施形態におけるＬ形ユニットを上下に組み合わせた構造を表す垂直断面図である。
【図６】前記実施形態の変形となる建物ユニットの構造を表す概要斜視図である。
【符号の説明】
１  ユニット式建物
３３Ｄ、３５Ｃ  天井張出部（張出面部）
３４、３６、８３  水平面部
３４Ａ、３６Ａ、８３Ａ  シャッタ収納空間
８２  外壁材
３３１、３５１、８１１  フレーム
３３２、３５２、８１２  柱
３３３、３５３、８１３、８１４  梁
３４６、３６０  ブラケット（受け部）
３４５、３５９  鋼製小梁（補強部）
【図１】
0004567858.tif 000002
【図２】
0004567858.tif 000003
【図３】
0004567858.tif 000004
【図４】
0004567858.tif 000005
【図５】
0004567858.tif 000006
【図６】
0004567858.tif 000007